(57)【要約】    【課題】  快適な使用感を有する枕を提供することである。    【解決手段】  ポリウレタンで形成された枕本体（１２）を備え、枕本体の上面が、一方の側に設けられた弧状の第１部分（１２ａ）と、他方の側に設けられ、第１部分よりも高さの低い第２部分（１２ｂ）と、第１部分と第２部分との間に設けられた窪み部分（１２ｃ）とを有し、枕本体の下面が、実質的に平らな面を形成しており、枕本体の表面を被覆するように配置され、ポリエステル系ウレタンフォームで形成された表層部（１４）を更に備え、表層部が、枕本体の表面に部分的に接着されている。【選択図】  図１
2005073801.tif 000002
【特許請求の範囲】
【請求項１】
ポリウレタンで形成された枕本体を備え、前記枕本体の上面が、一方の側に設けられた弧状の第１部分と、他方の側に設けられ、前記第１部分よりも高さの低い第２部分と、前記第１部分と前記第２部分との間に設けられた窪み部分とを有し、前記枕本体の下面が、実質的に平らな面を形成しており、
前記枕本体の表面を被覆するように配置され、ポリエステル系ウレタンフォームで形成された表層部を更に備え、前記表層部が、前記枕本体の表面に部分的に接着されていることを特徴とする枕。
【請求項２】
ナイロン繊維をメッシュ状に編んだ袋からなる枕カバーを更に備え、前記枕本体及び表層部が前記枕カバーに収容されていることを特徴とする請求項１に記載の枕。
【発明の詳細な説明】
【技術分野】
【０００１】
本発明は一般に、枕に関する。より詳細には、本発明は、通気性及び吸湿性に優れ、快適な使用感を有する枕に関する。
【背景技術】
【０００２】
従来、枕の素材としては、木、そば殻、もみ殻、ビーズ、活性炭、竹、羽毛等、種々のものが用いられている。また、近時、人間工学的見地から改良を加え、頭や首等の形に合わせて復元できるように、ウレタン等を用いて形成された枕も出回っている。
【発明の開示】
【発明が解決しようとする課題】
【０００３】
しかしながら、従来の枕には、睡眠中に頭の重みでへこみ、頸椎が圧迫されて血流を悪くしたり、発熱や発汗を生じさせりする等の弊害があった。また、従来の枕では、枕カバーは容易に洗濯することができるが、枕自体を手軽に丸洗いすることが難しいという課題もあった。
【０００４】
したがって、本発明は、従来の枕の弊害を除去し、快適な使用感を有する枕を提供することを目的としている。また、本発明は、快適な使用感を有するとともに、手軽に丸洗いすることができる枕を提供することを目的としている。
【課題を解決するための手段】
【０００５】
本願請求項１に記載の枕は、ポリウレタンで形成された枕本体を備え、前記枕本体の上面が、一方の側に設けられた弧状の第１部分と、他方の側に設けられ、前記第１部分よりも高さの低い第２部分と、前記第１部分と前記第２部分との間に設けられた窪み部分とを有し、前記枕本体の下面が、実質的に平らな面を形成しており、前記枕本体の表面を被覆するように配置され、ポリエステル系ウレタンフォームで形成された表層部を更に備え、前記表層部が、枕本体の表面に部分的に接着されていることを特徴とするものである。
【０００６】
本願請求項２に記載の枕は、前記請求項１の枕において、ナイロン繊維をメッシュ状に編んだ袋からなる枕カバーを更に備え、前記枕本体及び表層部が前記枕カバーに収容されていることを特徴とするものである。
【発明の効果】
【０００７】
本発明の枕は、良好な通気性及び吸湿性を有しているため、発熱や発汗等を抑えることができ、安眠できる快適な就寝環境を提供することができる。また、本発明の枕では、後頭部が窪み部分に嵌まり込むような状態になるため、頸椎の圧迫を極力回避することができる。また、本発明の枕では、顎が上がり頭頂部が下がるような状態で使用されるので、睡眠時の容易な呼吸を保証することができる。さらに、ナイロン繊維をメッシュ状に編んだ枕カバーを用いることにより、枕を丸洗いすることができる。
【発明を実施するための最良の形態】
【０００８】
次に図面を参照して、本発明の好ましい実施の形態に係る枕について詳細に説明する。図１において全体として参照符号１０で示される本発明の好ましい実施の形態に係る枕は、ポリウレタンで形成された枕本体１２を備えている。
【０００９】
枕本体１２の上面は、枕１０の側面図である図２（図２では、後述する枕カバー１８は図示されていない）に最も良く示されるように、一方の側に設けられた弧状の第１部分１２ａと、他方の側に設けられ、第１部分１２ａよりも高さの低い第２部分１２ｂと、第１部分１２ａと第２部分１２ｂとの間に設けられた窪み部分１２ｃとを有しており、第１部分１２ａ、第２部分１２ｂ、及び窪み部分１２ｃは、ｘ方向（図１参照）に連続している。また、枕本体１２の下面は、実質的に平らな面を形成している。
【００１０】
枕１０は又、枕本体１２の表面を被覆するように配置された表層部１４を備えている。表層部１４は、ポリエステル系ウレタンフォームで形成されている。表層部１４は、枕本体１２から脱落しないように、部分的に接着剤１６（図３（ｃ）及び（ｄ）参照）で接着されている。図３は、表層部１４で枕本体１２を被覆する手順の一例を示した図である。そのうち、図３（ａ）は、枕本体１２とシート状の表層部１４とを別個に示した斜視図、図３（ｂ）は、枕本体１２に表層部１４を被覆しようとする状態を示した斜視図、図３（ｃ）及び図３（ｄ）は、接着剤１６の塗布個所を示した平面図及び底面図である。なお、図３（ｃ）及び図３（ｄ）は、接着剤１６の塗布個所の一例を示しているにすぎず、部分接着であれば、図示した個所以外の個所に塗布してもよい。また、接着剤１６は、容易に剥がれないものであれば、通常のものを使用してよい。
【００１１】
表層部１４の厚さは、本発明者による種々の実験の結果、枕の使用感、吸湿性、弾力性等を考慮して、約７ｍｍ〜約１０ｍｍであるのが好ましく、約８ｍｍであるのが最も好ましいことが分かった。
【００１２】
枕１０は、好ましくは、枕カバー１８を備えている。枕カバー１８は、ナイロン繊維をメッシュ状に編んだ袋で形成されている（図１では、枕カバー１８は、その一部が切り取られた状態で図示されている）。枕本体１２／表層部１４を枕カバー１８に収容することにより、枕１０を洗濯機等で丸洗いすることができる。なお、枕カバー１８に収容した枕１０を、更に専用のタオル等で包んで使用してもよい。
【００１３】
以上のように構成された本発明の好ましい実施の形態に係る枕１０の使用について説明する。枕１０は、図４（ａ）に示されるように、枕本体１２の第１部分１２ａを首の側に、第２部分１２ｂを頭頂部の側に置いた状態で、窪み部分１２ｃに後頭部が嵌まり込むようにして使用する。表層部１４が枕本体１２に部分的に接着されているにすぎず、しかもポリウレタン（枕本体１２）の方がポリエステル系ウレタンフォーム（表層部１４）よりも材質が軟らかいため、荷重作用点（後頭部が枕１０に接触している個所）以外の部分において、図４（ｂ）に示されるように、枕本体１２と表層部１４との間に僅かな隙間が発生する。これにより、表層部１４を形成するポリエステル系ウレタンフォーム自体が良好な通気性を有していることと相まって、非常に通気性の良い環境が得られる。また、ポリエステル系ウレタンフォームは、吸湿性も良いので、吸湿性の良好な環境も得られる。
【００１４】
さらに、第２部分１２ｂよりも第１部分１２ａの方が高いので、枕１０の使用の際、顎が上がり頭頂部が下がるような状態になるので、喉頭部が十分に開放して睡眠時の呼吸が容易になり、鼾の発生を防止することができる。
【００１５】
本発明は、以上の発明の実施の形態に限定されることなく、特許請求の範囲に記載された発明の範囲内で、種々の変更が可能であり、それらも本発明の範囲内に包含されるものであることはいうまでもない。
【図面の簡単な説明】
【００１６】
【図１】本発明の好ましい実施の形態に係る枕を示した一部切取り斜視図である。
【図２】図１の枕の側面図である。
【図３】（ａ）は枕本体とシート状の表層部とを別個に示した斜視図、（ｂ）は枕本体に表層部を被覆しようとする状態を示した斜視図、（ｃ）は接着剤の塗布個所の一例を示した平面図、（ｄ）は接着剤の塗布個所の一例を示した底面図である。
【図４】（ａ）は枕の使用状態を示した図、（ｂ）は（ａ）の部分４ｂの拡大図である。
【符号の説明】
【００１７】
１０  枕
１２  枕本体
１２ａ  第１部分
１２ｂ  第２部分
１２ｃ  窪み部分
１４  表層部
１６  接着材
１８  枕カバー
【図１】
2005073801.tif 000003
【図２】
2005073801.tif 000004
【図３】
2005073801.tif 000005
【図４】
2005073801.tif 000006